(57)【要約】【課題】  管の拡径部を通過させてライナが挿入されるプロペラシャフトであっても、ライナが捩れることなくプロペラシャフトに適正に装着されるライナ挿入器具及びライナ挿入方法を提供する。【解決手段】  案内チューブ４が延長されて形成された短径部１４によって、ライナ後端部がプロペラシャフトチューブ２におけるライナ規定位置Ｐまで案内される。これにより、プロペラシャフトチューブ２の縮径部１９を通過させてライナ３が挿入されるプロペラシャフトであっても、ライナ３が捩れることなくプロペラシャフトチューブ２に適正に装着される。【選択図】  図２
2005337329.tif 000002
【特許請求の範囲】
【請求項１】
中空円筒状の胴部と、該胴部の両端から軸線方向外側へ向けて縮径される絞り部とを備えるプロペラシャフトチューブの内部に、円筒状に構成されたライナを挿入させるためのライナ挿入器具であって、前記ライナ挿入器具が、中空円筒状の挿入部を備えるライナ挿入具と、前記挿入部を前記絞り部の一方の開口から前記プロペラシャフトチューブ内部に案内させる案内チューブとを具備して、該案内チューブの先端が、前記絞り部の開口よりも小さい内径を有する短径部を有して、前記プロペラシャフトチューブの内部にまで挿入可能であることを特徴とするライナ挿入器具。
【請求項２】
前記挿入部の内側に嵌入可能であって、平面状の前記ライナを巻き取り可能な円筒状の巻取部を有するライナ巻取り具をさらに備えることを特徴とする請求項１に記載のライナ挿入器具。
【請求項３】
前記プロペラシャフトチューブの内部に挿入される前記案内チューブの先端の前記短径部の軸線方向の長さが、前記絞り部の開口から前記胴部に到るまでの前記プロペラシャフトチューブの軸線方向に沿った距離に等しいことを特徴とする請求項１又は２に記載のライナ挿入器具。
【請求項４】
中空円筒状の胴部と、該胴部の両端から軸線方向外側へ向けて縮径される絞り部とを備えるプロペラシャフトチューブの内部に対して、ライナ挿入器具を用いてライナを挿入させるライナ挿入方法であって、前記ライナ挿入器具が、中空円筒状の挿入部を備えるライナ挿入具と、先端が前記絞り部の開口よりも小さい内径を有する短径部を有して、前記挿入部を前記絞り部の開口から前記プロペラシャフトチューブの内部にまで挿入可能な案内チューブと、前記挿入部の内側に嵌入可能であって、前記ライナを巻き取り可能な円筒状の巻取部を有するライナ巻取り具とを備えており、前記ライナ巻取り具を前記ライナ挿入具の内部に嵌入させるステップと、前記ライナ巻取り具が嵌入された状態で、前記ライナ挿入具の前記挿入部を前記案内チューブの内部に挿入させるステップと、前記案内チューブを前記絞り部の一方の開口開口から前記プロペラシャフトチューブの内部に軸線方向へ挿入させて、前記挿入部の先端を、前記胴部の端部に相当する位置に固定させるステップと、前記ライナ巻取り具によって前記ライナを円筒状に巻き取らせるステップと、円筒状に巻き取られた前記ライナを、前記ライナ挿入具の前記挿入部を前記案内チューブの内部に摺動させて、前記案内チューブの内部から前記ライナを前記プロペラシャフトチューブの内部に押し出させるステップと、を含んで構成されることを特徴とするライナ挿入方法。
【発明の詳細な説明】
【技術分野】
【０００１】
本発明は、ライナ挿入器具及びライナ挿入方法に関し、特に、中空円筒状の胴部と、該胴部の両端から軸線方向外側へ向けて縮径される絞り部とを備えるプロペラシャフトチューブの内部に、円筒状に構成されたライナを挿入させるためのライナ挿入器具及びライナ挿入方法に関する。
【背景技術】
【０００２】
一般に、プロペラシャフトのチューブ（以下、プロペラシャフトチューブと称す。）には、ＮＶＨ（Noise，Vibration，Harshiness）対策として、円筒状に巻かれたライナが内周面に装着される（例えば、特許文献１参照。）。このようなプロペラシャフトでは、上記ライナによって、膜振動や共鳴振動が抑制される。該ライナは、例えば、図４に示されるライナ挿入器具１によって、プロペラシャフトチューブ２の一方の開口１５からプロペラシャフトチューブ２の中空部に挿入されて当該プロペラシャフトチューブ２の内周面に装着される。このようなライナ挿入器具１では、まず、略円筒状に巻かれた状態のライナ３が案内チューブ４に収容される。そして、該案内チューブ４が、位置決め治具によってプロペラシャフトチューブ２に対して同一軸線上に位置決めされる。なお、この状態では、案内チューブ４の内周面が、プロペラシャフトチューブ２の開口１５の内周面に対して略面一になる。
【０００３】
次に、上記ライナ挿入器具１では、挿入部９が略円筒状に形成されて該挿入部９の外周面が上記案内チューブ４の内周面に摺動可能に嵌合されるライナ挿入具６が、該案内チューブ４に対してライナ挿入方向（図４における紙面視左方向）へ移動される。これにより、ライナ挿入具６の挿入部９の前端部９ａ（図４における紙面視左側の端部）によって案内チューブ４に収容されたライナ３の後端部（ライナの図４における紙面視右側の端部）が押圧されて、当該ライナ３が案内チューブ４に案内されつつ、プロペラシャフトチューブ２に挿入される。しかしながら、プロペラシャフトチューブ２には、図４に示されるように、当該プロペラシャフトチューブ２の開口１５が開口される管１０（以下、絞り部１０と称す。）の内径に対してライナ３が装着される管７（以下、胴部７と称す。）の内径が大きい寸法のものがある。このようなプロペラシャフトチューブ２では、上記ライナ挿入器具１によってライナ３が挿入される場合に、ライナ後端部がプロペラシャフトチューブ２の絞り部１０から胴部７へ移行される部分１９（以下、縮径部１９と称す。）に到達された時点で、当該ライナ３（ライナ後端部）が材料（紙）の弾性力によって拡径される。
【０００４】
そして、上記ライナ挿入器具１では、巻かれたライナ３の外側の層がプロペラシャフトチューブ２の胴部７の内周面に当接された後も、当該ライナ３の内側の層の後端部がライナ挿入具６の挿入部９によって押圧されるため、図３に示されるように、ライナ３が捩れた状態でプロペラシャフトチューブ２に装着されて、ライナ３の性能が発揮されずにプロペラシャフトから膜振動や共鳴振動が発生される虞がある。
【特許文献１】実開平６−８５９２５号公報（段落番号０００８〜００１２、図２）
【発明の開示】
【発明が解決しようとする課題】
【０００５】
そこで本発明は、上記事情に鑑みてなされたもので、第１の目的は、ライナ後端部が管の縮径部を通過される場合であっても、ライナが捩れることなくプロペラシャフトに適正に装着されるライナ挿入器具を提供することにある。
第２の目的は、ライナ後端部が管の縮径部を通過される場合であっても、ライナが捩れることなくプロペラシャフトに適正に装着されるライナ挿入方法を提供することにある。
【課題を解決するための手段】
【０００６】
上記第１の目的を達成するために、本発明のうち請求項１に記載の発明は、中空円筒状の胴部と、該胴部の両端から軸線方向外側へ向けて縮径される絞り部とを備えるプロペラシャフトチューブの内部に、円筒状に構成されたライナを挿入させるためのライナ挿入器具であって、ライナ挿入器具が、中空円筒状の挿入部を備えるライナ挿入具と、挿入部を絞り部の一方の開口からプロペラシャフトチューブ内部に案内させる案内チューブとを具備して、該案内チューブの先端が、絞り部の開口よりも小さい内径を有する短径部を有して、プロペラシャフトチューブの内部にまで挿入可能であることを特徴とする。
本発明のうち請求項２に記載の発明は、請求項１に記載の発明において、挿入部の内側に嵌入可能であって、平面状のライナを巻き取り可能な円筒状の巻取部を有するライナ巻取り具をさらに備えることを特徴とする。
本発明のうち請求項３に記載の発明は、請求項１又は２に記載の発明において、プロペラシャフトチューブの内部に挿入される案内チューブの先端の短径部の軸線方向の長さが、絞り部の開口から胴部に到るまでのプロペラシャフトチューブの軸線方向に沿った距離に等しいことを特徴とする。
【０００７】
上記第２の目的を達成するために、本発明のうち請求項４に記載の発明は、中空円筒状の胴部と、該胴部の両端から軸線方向外側へ向けて縮径される絞り部とを備えるプロペラシャフトチューブの内部に対して、ライナ挿入器具を用いてライナを挿入させるライナ挿入方法であって、ライナ挿入器具が、中空円筒状の挿入部を備えるライナ挿入具と、先端が絞り部の開口よりも小さい内径を有する短径部を有して、挿入部を絞り部の開口からプロペラシャフトチューブの内部にまで挿入可能な案内チューブと、挿入部の内側に嵌入可能であって、ライナを巻き取り可能な円筒状の巻取部を有するライナ巻取り具とを備えており、ライナ巻取り具をライナ挿入具の内部に嵌入させるステップと、ライナ巻取り具が嵌入された状態で、ライナ挿入具の挿入部を案内チューブの内部に挿入させるステップと、案内チューブを絞り部の一方の開口開口からプロペラシャフトチューブの内部に軸線方向へ挿入させて、挿入部の先端を、胴部の端部に相当する位置に固定させるステップと、ライナ巻取り具によってライナを円筒状に巻き取らせるステップと、円筒状に巻き取られたライナを、ライナ挿入具の挿入部を案内チューブの内部に摺動させて、案内チューブの内部からライナをプロペラシャフトチューブの内部に押し出させるステップと、を含んで構成されることを特徴とする。
【０００８】
従って、請求項１に記載の発明では、案内チューブの短径部によって、ライナ後端部が、プロペラシャフトチューブの内径が縮径される縮径部を越えて案内される。
請求項２に記載の発明では、ライナ巻取り具の巻取部によって、ライナが円筒状に巻き取られる。
請求項３に記載の発明では、案内チューブの短径部がプロペラシャフトの絞り部の内側に嵌入されると、当該短径部の先端がプロペラシャフトの胴部に到達される。
請求項４に記載の発明では、各ステップを適宜組み合わせて実行することにより、ライナがプロペラシャフトチューブの胴部に挿入されて適正に装着される。
【発明の効果】
【０００９】
ライナ後端部が管の縮径部を通過される場合であっても、ライナが捩れることなくプロペラシャフトに適正に装着されるライナ挿入器具及びライナ挿入方法を提供することができる。
【発明を実施するための最良の形態】
【００１０】
本発明の一実施の形態を図１及び図２に基づいて説明する。なお、上述した従来のライナ挿入器具１（図４参照）と同一又は相当の構成には、同じ名称及び符号を付与する。図１に示されるように、本ライナ挿入器具１は、プロペラシャフトチューブ２の一端から略円筒状に巻かれたライナ３が挿入されるものであって、案内チューブ４と、ライナ巻取り具５と、ライナ挿入具６と、に大別されて構成される。なお、本ライナ挿入器具１の対象になるプロペラシャフトチューブ２は、内周面７ａに上記ライナ３が装着される胴部７を有し、該胴部７の軸線方向（図１における紙面視左右方向）両端には、各縮径部１９，２０を介して各絞り部１０，１１が設けられる。上記案内チューブ４は、略円筒状に形成されて、本体１２には、軸線方向へ延びてシート状のライナ３の一辺が当該案内チューブ４の外部空間から内部空間へ向けて差し入れられるライナ差入口１３が設けられる。また、図２に示されるように、案内チューブ４の本体１２の一端には、当該本体１２が延長されて形成されて、長さがＬ、外径寸法がＤの短径部１４が設けられる。
【００１１】
そして、図２に示されるように、上記案内チューブ４は、短径部１４の長さＬが、プロペラシャフトチューブ２の絞り部１０の開口１５からプロペラシャフトチューブ２におけるライナ後端部（ライナ３の図２における右側の端部）の規定位置Ｐ（以下、ライナ規定位置Ｐと称す。）までの軸線方向の距離に略等しい距離に設定される。また、上記案内チューブ４は、短径部１４の外径寸法Ｄが、当該短径部１４がプロペラシャフトチューブ２の絞り部１０の内周面に抜き差し可能に嵌合される寸法に設定される。さらに、上記案内チューブ４は、短径部１４の基端縁に、プロペラシャフトチューブ２の絞り部１０の端面（開口１５）が当接される環状の被当接面１６が形成される。そして、本ライナ挿入器具１では、案内チューブ４の短径部１４がプロペラシャフトチューブ２の絞り部１０に嵌合されて、案内チューブ４の被当接面１６にプロペラシャフトチューブ２の絞り部１０の端面（開口１５）が当接されることにより、短径部１４によってライナ後端部がライナ規定位置Ｐまで案内されるように、プロペラシャフトチューブ２と案内チューブ４とが相対的に位置決めされる。
【００１２】
図１に示されるように、上記ライナ巻取り具５は、上記案内チューブ４に対して同一軸線上に配置されて、一側（図１における左側の部分）の巻取部８が案内チューブ４に内挿される。また、ライナ巻取り具５は、上記巻取部８に、一端面から軸線方向へ延びるスリット１７が設けられて、該スリット１７に、案内チューブ４のライナ差入口１３から差し入れられるライナ３の一辺が差し込まれる。そして、本ライナ挿入器具１では、上記スリット１７にライナ３の一辺が差し込まれた状態で、ライナ巻取り具５の他端に設けられるハンドル１８が操作（軸線回りの所定方向へ回転）されることにより、ライナ３がライナ巻取り具５の巻取部８に巻き付けられて数重巻き（本実施の形態では３重巻き）に巻かれた状態で案内チューブ４内に収容される構造になっている。また、図１に示されるように、上記ライナ挿入具６は、略円筒状に形成されて、上記案内チューブ４の本体１２の内周面に摺動可能に内挿されると共に上記ライナ巻取り具５の外周面に摺動可能に外挿される。
【００１３】
そして、本ライナ挿入器具１では、上記ライナ挿入具６が案内チューブ４及びライナ巻取り具５に対して、図１における紙面視左側へ移動されることにより、ライナ巻取り具５の巻取部８によって巻かれて案内チューブ４に収容されたライナ３のライナ後端部がライナ挿入具６の挿入部９の前端面９ａ（図１における左側端面）によって押圧されて、当該ライナ３が案内チューブ４の内周面によって案内されつつ、当該案内チューブ４に接続されたプロペラシャフトチューブ２へ向けて押し出される。そして、図２に示されるように、ライナ３は、ライナ後端部が案内チューブ４の短径部１４を通過した時点で、材料（紙）の弾性力によって巻かれた状態で拡径されて、ライナ後端部がライナ規定位置Ｐに位置された状態でプロペラシャフトチューブ２の胴部７の内周面７ａに装着される。
【００１４】
次に、本ライナ挿入器具１の作用を説明する。本ライナ挿入器具１を用いて図１に示されるプロペラシャフトチューブ２にライナ３を挿入させる場合には、まず、シート状のライナ３の一辺が、案内チューブ４のライナ差入口１３に差し入れられてライナ巻取り具５の巻取部８のスリット１７に差し込まれる。この状態でライナ巻取り具５のハンドル１８が操作（回転）されることにより、ライナ３が、当該ライナ巻取り具５の巻取部８に巻き取られて数重巻きに巻かれた状態で案内チューブ４に収容される。そして、案内チューブ４が位置決め用治具にセットされて、当該位置決め用治具に固定されたプロペラシャフトチューブ２に対してライナ挿入器具１（案内チューブ４）が同一軸線上に位置決めされる。この状態で、案内チューブ４の短径部１４がプロペラシャフトチューブ２の開口１５に挿入されて当該短径部１４がプロペラシャフトチューブ２の絞り部１０に嵌合されることにより、プロペラシャフトチューブ２にライナ挿入器具１が接続される。
【００１５】
なお、プロペラシャフトチューブ２の絞り部１０と案内チューブ４の短径部１４とが嵌合されてプロペラシャフトチューブ２にライナ挿入器具１（案内チューブ４）が適正に接続されることにより、図２に示されるように、プロペラシャフトチューブ２の絞り部１０の端面（開口１５）が案内チューブ４の被当接面１６に当接されて、短径部１４の先端が略ライナ規定位置Ｐに位置決めされる。次に、ライナ挿入具６が案内チューブ４及びライナ巻取り具５に対して図１における紙面視左側へ移動されることにより、ライナ巻取り具５によって巻かれて案内チューブ４に収容されたライナ３の後端部が、ライナ挿入具６の挿入部９の前端面９ａ（図１における左側端面）によって押圧される。そして、ライナ３は、案内チューブ４の内周面によって案内されつつ、当該案内チューブ４に接続されたプロペラシャフトチューブ２へ向けて押し出される。そして、図２に示されるように、ライナ３は、ライナ後端部が案内チューブ４の短径部１４を通過した時点で、材料（紙）の弾性力によって巻かれた状態で拡径されて、プロペラシャフトチューブ２の胴部７の内周面７ａに装着される。
【００１６】
この実施の形態では以下の効果を奏する。
本ライナ挿入器具１では、案内チューブ４が延長されて形成された短径部１４によって、ライナ後端部がプロペラシャフトチューブ２におけるライナ規定位置Ｐまで案内される。これにより、プロペラシャフトチューブ２にライナ３を挿入するに際して、数重巻きに巻かれたライナ３のライナ後端部が、プロペラシャフトチューブ２の縮径部１９に差しかかった時に、当該縮径部１９で拡径されることが防止される。
したがって、本ライナ挿入器具１では、案内チューブ４が短径部１４を持たない従来のライナ挿入器具１で問題になっていた、プロペラシャフトチューブ２の縮径部１９でライナ３が拡径されて、その後、巻かれたライナ３の内側の層だけがライナ挿入具６の挿入部９の前端面９ａによって押し込まれることにより、ライナ３が捩れた状態でプロペラシャフトチューブ２の胴部７に装着されてしまう事態が解消される。これにより、本ライナ挿入器具１では、ライナ３がプロペラシャフトチューブ２に適正に装着されて、プロペラシャフトの膜振動や共鳴振動が効果的に抑制される。
【図面の簡単な説明】
【００１７】
【図１】本実施の形態の説明図であって、ライナ挿入器具がプロペラシャフトチューブに接続された状態の軸断面を示す図である。
【図２】本実施の形態の要部拡大図であって、特に、ライナ挿入具の挿入部が前進端に到達されて、ライナがプロペラシャフトチューブに適正に装着された状態を示す図である。
【図３】従来のライナ挿入器具の要部拡大図であって、特に、ライナ挿入具の挿入部が前進端に到達されて、ライナが捩れて装着された状態を示す図である。
【図４】従来のライナ挿入器具の説明図であって、該ライナ挿入器具がプロペラシャフトチューブに接続された状態の軸断面を示す図である。
【符号の説明】
【００１８】
１  ライナ挿入器具、２  プロペラシャフトチューブ、３  ライナ、４  案内チューブ、５  ライナ巻取り具、６  ライナ挿入具、８  巻取部、９  挿入部、１４  短径部、１６  被当接面
【図１】
2005337329.tif 000003
【図２】
2005337329.tif 000004
【図３】
2005337329.tif 000005
【図４】
2005337329.tif 000006